(57)【要約】【課題】情報配信システムによる情報配信をより有効に活用する。【解決手段】  情報配信サーバ１０が、キャンペーン情報と広告情報とが混在した電子メールを、ユーザ９（閲覧者）の携帯端末９００に配信し、ポイント付与装置２０が、キャンペーン情報（電子メールで発信された情報）に含まれている設問に対する、ユーザの解答を受け付けて、受け付けた解答の正誤に応じたポイントをユーザに付与する。これにより、ポイント付与装置２０により付与されるポイントが、ポイント付与装置２０が設置されている商業区域まで来て広告情報を引き出させるためのインセンティブとして働くだけでなく、情報配信システムで配信される広告情報を閲覧させるためのインセンティブとしても働く。【選択図】図１
2011096151.tif 000002
【特許請求の範囲】
【請求項１】
情報配信装置を含む情報配信システムと、所定の場所に固定的に設置された特典付与装置を含む特典管理システムとからなる情報提供システムであって、
前記情報配信装置は、設問が挿入されたメッセージを閲覧者の端末に配信し、
前記特典付与装置は、
前記設問に対する正答及び誤答を選択肢として提示する解答提示部と、
前記解答提示部により提示された選択肢に対する選択操作を、操作者から受け付ける解答受付部と、
前記解答受付部により受け付けた選択操作が設問の正答に相当するか否かに応じて、前記操作者に対して特典を付与する特典付与部と
を有する
情報提供システム。
【請求項２】
前記特典は、累積加算が可能なポイントであり、
前記特典付与装置は、所定の商業区域の設置場所に設置され、
前記情報配信装置は、前記商業区域に関する広告情報に、この商業区域に関する設問を挿入したメッセージを、この商業区域に関するメール会員の端末に配信し、
前記特典付与装置は、
操作者が前記商業区域に関するポイント会員であるか否かを判定する会員判定部
をさらに有し、
前記特典付与部は、前記会員判定部により操作者がポイント会員であると判定された場合に、この操作者の選択操作が設問の正答に相当するか否かに応じて設定されたポイントを、このポイント会員に付与する
請求項１に記載の情報提供システム。
【請求項３】
正答又は誤答となる選択肢を、それぞれの選択肢の属性に関連付けて格納する選択肢データベース
をさらに含み、
前記解答提示部は、設問の正答となる選択肢と、前記選択肢データベースにおいてこの正答と同じ属性に関連付けられている他の選択肢とを提示する
請求項２に記載の情報提供システム。
【請求項４】
前記情報配信システム及び前記特典管理システムは、互いに独立して会員情報を管理しており、
前記情報配信システムは、メール会員に関する情報以外の、設問に関する情報を前記特典管理システムに提供し、
前記特典管理システムは、提供された設問に関する情報に基づいて、操作者の選択操作が設問の正答に相当するか否かを判定し、
前記特典付与部は、この判定結果に応じたポイントを、ポイント会員のポイントに加算する
請求項３に記載の情報提供システム。
【請求項５】
操作者が特典管理システムに登録されているか否かを判定する会員判定部と、
前記特典管理システム以外の会員システムで配信された設問に対する正答及び誤答を選択肢として提示する解答提示部と、
前記解答提示部により提示された選択肢に対する選択操作を、操作者から受け付ける解答受付部と、
前記解答受付部により受け付けた選択操作が設問の正答に相当するか否かに応じて、前記操作者に対して特典を付与する特典付与部と
を有する特典付与装置。
【請求項６】
情報配信を行うコンピュータと、所定の場所に固定的に設置された特典付与装置とが連携して情報配信を行う情報配信方法であって、
前記コンピュータが、設問が挿入されたメッセージを閲覧者の端末に配信し、
前記特典付与装置の表示装置が、前記設問に対する正答及び誤答を選択肢として提示し、
前記特典付与装置の入力部が、提示された選択肢に対する選択操作を、操作者から受け付け、
前記特典付与装置が、受け付けた選択操作が設問の正答に相当するか否かに応じて、前記操作者に対して特典を付与する
情報配信方法。
【発明の詳細な説明】
【技術分野】
【０００１】
本発明は、情報提供システム、特典付与装置、及び情報配信方法に関する。
【背景技術】
【０００２】
例えば、特許文献１には、広告に掲載される商品又はサービスに対する関心度に応じて、ポイントを付与する広告配信方法が開示されている。
また、特許文献２には、各広告ページに対応付けられた所定の操作（各広告ページのクイズに正しく答えるという操作）に応じて、各広告ページに割り当てられたポイントをユーザに付与する広告配信システムが開示されている。
また、特許文献３には、利用者が販促キーワードの入力を行うことにより、ポイント付与を行うポイント管理システムが開示されている。
また、特許文献４には、事業主体とキャンペーン企業との間で通信ネットワークを用いてキャンペーンカードを作成し、来店した顧客に前記キャンペーンカードを渡して必要な情報を記入し、前記キャンペーンカードの記入データを整理して前記顧客へアプローチ手法で再来店を促し、再来店した顧客の携帯電話と前記キャンペーン企業のサーバとの間のメール通信でポイントを加算するようにしたことを特徴とする統合電子商取引システムが開示されている。
また、特許文献５には、サービス関連メールによるサービス種類に応じた動作を表現するキャラクタ（キャラクタ画像や文字等表示）を表示する電子メール閲読促進方法が開示されている。
【先行技術文献】
【特許文献】
【０００３】
【特許文献１】特許第４０１１３７５号公報
【特許文献２】特開２００１−２６６２４８号公報
【特許文献３】特開２００７−４７９５１号公報
【特許文献４】特開２００４−３４８６２５号公報
【特許文献５】特開２００４−２３４３５３号公報
【発明の概要】
【発明が解決しようとする課題】
【０００４】
解決しようとする問題点は、情報配信システムを有効活用することである。
【課題を解決するための手段】
【０００５】
本発明に係る情報提供システムは、情報配信装置を含む情報配信システムと、所定の場所に固定的に設置された特典付与装置を含む特典管理システムとからなる情報提供システムであって、前記情報配信装置は、設問が挿入されたメッセージを閲覧者の端末に配信し、前記特典付与装置は、前記設問に対する正答及び誤答を選択肢として提示する解答提示部と、前記解答提示部により提示された選択肢に対する選択操作を、操作者から受け付ける解答受付部と、前記解答受付部により受け付けた選択操作が設問の正答に相当するか否かに応じて、前記操作者に対して特典を付与する特典付与部とを有する。
【０００６】
好適には、前記特典は、累積加算が可能なポイントであり、前記特典付与装置は、所定の商業区域の設置場所に設置され、前記情報配信装置は、前記商業区域に関する広告情報に、この商業区域に関する設問を挿入したメッセージを、この商業区域に関するメール会員の端末に配信し、前記特典付与装置は、操作者が前記商業区域に関するポイント会員であるか否かを判定する会員判定部をさらに有し、前記特典付与部は、前記会員判定部により操作者がポイント会員であると判定された場合に、この操作者の選択操作が設問の正答に相当するか否かに応じて設定されたポイントを、このポイント会員に付与する。
【０００７】
好適には、正答又は誤答となる選択肢を、それぞれの選択肢の属性に関連付けて格納する選択肢データベースをさらに含み、前記解答提示部は、設問の正答となる選択肢と、前記選択肢データベースにおいてこの正答と同じ属性に関連付けられている他の選択肢とを提示する。
【０００８】
好適には、前記情報配信システム及び前記特典管理システムは、互いに独立して会員情報を管理しており、前記情報配信システムは、メール会員に関する情報以外の、設問に関する情報を前記特典管理システムに提供し、前記特典管理システムは、提供された設問に関する情報に基づいて、操作者の選択操作が設問の正答に相当するか否かを判定し、前記特典付与部は、この判定結果に応じたポイントを、ポイント会員のポイントに加算する。
【０００９】
また、本発明に係る特典付与装置は、操作者が特典管理システムに登録されているか否かを判定する会員判定部と、前記特典管理システム以外の会員システムで配信された設問に対する正答及び誤答を選択肢として提示する解答提示部と、前記解答提示部により提示された選択肢に対する選択操作を、操作者から受け付ける解答受付部と、前記解答受付部により受け付けた選択操作が設問の正答に相当するか否かに応じて、前記操作者に対して特典を付与する特典付与部とを有する。
【００１０】
また、本発明に係る情報配信方法は、情報配信を行うコンピュータと、所定の場所に固定的に設置された特典付与装置とが連携して情報配信を行う情報配信方法であって、前記コンピュータが、設問が挿入されたメッセージを閲覧者の端末に配信し、前記特典付与装置の表示装置が、前記設問に対する正答及び誤答を選択肢として提示し、前記特典付与装置の入力部が、提示された選択肢に対する選択操作を、操作者から受け付け、前記特典付与装置が、受け付けた選択操作が設問の正答に相当するか否かに応じて、前記操作者に対して特典を付与する。
【発明の効果】
【００１１】
本発明に係る情報提供システムによれば、情報配信システムによる情報配信をより有効に活用することができる。
【図面の簡単な説明】
【００１２】
【図１】図１は、情報提供システム１の全体構成を例示する図である。
【図２】図２は、情報配信プログラム５及び特典管理プログラム６の機能構成を例示する図である。
【図３】図３は、情報配信システムに含まれるデータベースを例示する図である。
【図４】図４は、特典管理システムに含まれるデータベースを例示する図である。
【図５】図５は、情報配信システムの動作を説明するフローチャートである。
【図６】図６は、特典管理システムの動作を説明するフローチャートである。
【図７】図７は、配信されるメッセージ、及び、タッチパネルで表示される選択肢を例示する図である。
【発明を実施するための形態】
【００１３】
［背景］
電子メールなどを用いて情報を配信する情報配信システムでは、配信者側の望むタイミングで情報を配信することができる（例えば、プッシュ型広告）。しかしながら、配信した情報が必ずしも閲覧されないという問題がある。また、広告情報を配信したとしても、これが実店舗への集客に結び付きにくいという問題もある。また、従来技術ではメールを見て来店したかが判断できないためメールによる集客効果を把握できなかった。さらに、情報配信が「押し付け」と感じられる虞もあり、配信頻度などに注意する必要がある。
一方で、「押し付け」とは感じられにくいプル型の情報発信方法もある。すなわち、閲覧者が能動的に要求（所定の操作など）を行ったときに、情報をこの閲覧者に発信するシステムである。このようなプル型の情報発信方法の中でも、所定の場所に固定的に情報端末を設置してプル型の情報発信を行うシステムは、実店舗への集客に結び付きやすい点で優れている。しかしながら、このようなシステムでは、情報端末の設置場所まで来た人だけが対象となり、さらに集客力を強化する仕掛けが必要とされている。
そこで、本実施形態の情報提供システムは、このようなプッシュ型の情報配信システムと、プル型の情報端末とを連携させることにより、相互に補完した効率的な情報配信を実現する。
【００１４】
図１は、情報提供システム１の全体構成を例示する図である。
図１に例示するように、情報提供システム１は、情報配信システムと、特典管理システムとからなる。
情報配信システムは、情報配信サーバ１０と、メール会員データベース（メール会員ＤＢ）１００と、広告情報データベース（広告情報ＤＢ）１０２とを有する。
情報配信サーバ１０は、コンピュータ装置であり、メール会員ＤＢ１００に登録されているユーザの携帯端末９００に対して、広告情報ＤＢ１０２に登録されている広告情報を配信する。
メール会員ＤＢ１００は、情報配信システムによる情報の配信先（本例では、メール会員）に関する情報を格納する。
広告情報ＤＢ１０２は、広告主から登録された広告情報を格納する。
【００１５】
特典管理システムは、ポイント付与装置２０と、ポイント管理サーバ３０と、ポイント会員データベース（ポイント会員ＤＢ）３００と、広告情報データベース（広告情報ＤＢ）３０２とを有する。
ポイント付与装置２０は、特典付与装置の一例であり、例えば、店頭、ショッピングモール又は商店街の入口、その他の商業区域の一部に設置される。本例のポイント付与装置２０は、コンピュータを内蔵し、かつ、情報の入力受付及び情報の表示を行うユーザインタフェース（本例ではタッチパネル２００）と、情報記録媒体（本例では、バーコードが印字されたカード、磁気カード、又はＩＣカードなどからなる会員カード９０２）から情報の読出しを行う情報読取装置（本例ではカードリーダライタ２０２）とを有する。本例のポイント付与装置２０は、ネットワークを介してポイント管理サーバ３０に接続しており、ポイント管理サーバ３０と協働して、情報発信及びポイント付与を行う。
【００１６】
ポイント会員ＤＢ３００は、ポイント会員に関する情報を格納する。本例のポイント会員ＤＢ３００は、メール会員ＤＢ１００とは分離独立して管理されており、メール会員ＤＢ１００よりも高いセキュリティ環境に設置されている。
広告情報ＤＢ３０２は、ポイント付与装置２０で発信する情報（広告情報）を格納する。本例の広告情報ＤＢ３０２は、情報配信システムの広告情報ＤＢ１０２と一部の情報（キャンペーン情報）を同期している。
ポイント管理サーバ３０は、コンピュータ装置であり、ポイント会員ＤＢ３００に登録されているポイント会員のポイントを管理すると共に、広告情報ＤＢ３０２に登録されている広告情報（キャンペーン情報など）をポイント付与装置２０に供給する。
ここで、広告情報には、設問又はその解答（正答又は誤答を含む）を少なくとも一部に含む広告情報（以下、「キャンペーン情報」とよぶ）と、これらの含まない広告情報（以下、単に「広告情報」とよぶ）とがある。
【００１７】
本例の情報提供システム１では、情報配信サーバ１０が、キャンペーン情報と広告情報とが混在した電子メールを、ユーザ９（閲覧者）の携帯端末９００に配信する。キャンペーン情報には、設問が含まれており、これを閲覧したユーザ９（閲覧者）は、ポイント付与装置２０において、この設問に対する解答を入力することにより、特典を得ることができる。
これにより、情報配信サーバ１０によりプッシュ型で配信された電子メールがユーザ９に読んでもらいやすくなる。また、設問に対する解答を要求することにより、キャンペーンの存在自体だけでなく、正答として設定されたキーワードをユーザに記憶してもらうことができる。特に、設問を配信する情報配信システムと、解答の入力を受け付けるポイント付与装置２０とを分離させていることから、キャンペーンを長期記憶として固定化されることが期待できる。また、メール会員の情報とポイント会員の情報とは異なるセキュリティポリシーで管理されることが多いが、このような場合でも、メール会員のシステム（情報配信システム）と、ポイント会員のシステム（特典管理システム）とが連携してキャンペーンを行っていることをユーザに印象付けることができる。また、ポイント付与装置２０で受け付けた解答（例えば、正答数）によって、情報配信システムにより配信された広告情報の効果測定を行うことができる。また、情報配信システムと特典管理システムとが共同でキャンペーンを行うことにより、ポイント会員によるメール会員への新規登録、又は、メール会員によるポイント会員への新規登録が期待できる。
【００１８】
図２は、情報配信サーバ１０にインストールされる情報配信プログラム５の機能構成と、ポイント管理サーバ３０にインストールされる特典管理プログラム６の機能構成とを例示する図である。
図２に例示するように、情報配信プログラム５は、会員登録部５００、アドレス抽出部５０５、メール生成部５１０、メール配信部５１５、広告登録部５２０、及びキャンペーン登録部５２５を有する。また、広告情報ＤＢ１０２には、広告データベース（広告ＤＢ）と、設問データベース（設問ＤＢ）と、解答データベース（解答ＤＢ）とが含まれている。
情報配信プログラム５は、例えば、ＣＤ−ＲＯＭ等の記録媒体に記録されており、この記録媒体を介して情報配信サーバ１０（図１）にインストールされる。なお、情報配信プログラム５の一部又は全部は、ネットワークを介して、情報配信サーバ１０にインストールされてもよい。また、情報配信プログラム５の全部又は一部は、情報配信サーバ１０に設けられたＡＳＩＣ等のハードウェアによって実現されてもよい。
【００１９】
情報配信プログラム５において、会員登録部５００は、メール会員の登録を受け付け、ユーザから入力された会員情報をメール会員ＤＢ１００に登録する。本例の会員登録部５００は、インターネットを介して、ユーザの携帯端末９００からメールアドレスを受信すると、メール会員を識別するためのメール会員ＩＤを付与して、図３（Ａ）に例示するように、受信したメールアドレス、メール会員ＩＤ及び登録日（受信日）をメール会員ＤＢ１００に登録する。
【００２０】
アドレス抽出部５０５は、情報配信を行う場合に、配信先のアドレスをメール会員ＤＢ１００から抽出し、抽出されたアドレスをメール配信部５１５に出力する。
メール生成部５１０は、設問が含まれた広告情報を生成し、生成された広告情報（設問を含む）を配信コンテンツとしてメール配信部５１５に出力する。本例のメール生成部５１０は、広告情報ＤＢ１０２に登録されている情報（具体的には、広告ＤＢに登録されている広告情報、及び、設問ＤＢに登録されている設問）を用いて、配信コンテンツを生成し、生成された配信コンテンツをメール配信部５１５に出力する。
【００２１】
メール配信部５１５は、メール生成部５１０により生成された配信コンテンツを、アドレス抽出部５０５により抽出されたアドレスに配信する。本例のメール配信部５１５は、メール生成部５１０により生成された配信コンテンツを本文とし、アドレス抽出部５０５により抽出されたメールアドレスをメールアドレスとした電子メールのデータを生成し、生成された電子メールを送信する。
広告登録部５２０は、広告主のコンピュータから、広告情報、又は、キャンペーン情報（設問及び正答を含む情報）を受信すると、受信した情報を広告情報ＤＢ１０２に登録する。本例の広告登録部５２０は、広告主の選択操作又は任意入力操作によって、設問、正答、キャンペーンの有効期間、正答ポイント、及び、基礎ポイントを受け付けると、受け付けた設問、正答、有効期間、正答ポイント及び基礎ポイントを互いに関連付けた状態でキャンペーン情報として広告情報ＤＢ１０２に登録する。
【００２２】
キャンペーン登録部５２５は、広告登録部５２０によりキャンペーン情報が登録された場合に、登録されたキャンペーン情報に含まれる正答と、この正答に関連する誤答とを特典管理システムの広告情報ＤＢ３０２に登録する。本例のキャンペーン登録部５２５は、広告登録部５２０によりキャンペーン情報（設問、正答、有効期間、正答ポイント、及び基礎ポイント）が登録されると、このキャンペーン情報に含まれる正答と同じ属性を有する他の解答を、広告情報ＤＢ１０２の解答ＤＢから選択し、登録されたキャンペーン情報に、選択された他の解答（すなわち誤答）及びキャンペーン識別情報を付加して、特典管理システムの広告情報ＤＢ３０２（キャンペーンＤＢ）に登録する。なお、広告情報ＤＢ３０２の解答ＤＢには、図３（Ｂ)に例示するように、予め入力された解答が、その属性（具体的には、分類１〜分類３）と、解答番号と、付随情報（画像データなど）とに対応付けて登録されている。また、キャンペーンＤＢには、図４（Ｂ）に例示するように、正答、他の解答（誤答となる解答１〜３など）、基礎ポイント、正答ポイント、及び有効期限（キャンペーンの開始日及び終了日）がキャンペーン番号（キャンペーン識別情報）に関連付けて格納されている。
【００２３】
また、図２に例示するように、特典管理プログラム６は、会員登録部６００、会員判定部６０５、解答提示部６１０、解答受付部６１５、解答照合部６２０、及び特典付与部６２５を有する。また、ポイント会員ＤＢ３００には、会員データベース（会員ＤＢ）と、特典データベース（特典ＤＢ）と、ログデータベース（ログＤＢ）とが含まれており、広告情報ＤＢ３０２には、キャンペーンＤＢが含まれている。
特典管理プログラム６は、例えば、ＣＤ−ＲＯＭ等の記録媒体に記録されており、この記録媒体を介してポイント管理サーバ３０（図１）にインストールされる。なお、特典管理プログラム６の一部又は全部は、ネットワークを介して、ポイント管理サーバ３０にインストールされてもよい。また、特典管理プログラム６の全部又は一部は、ポイント付与装置２０又はポイント管理サーバ３０に設けられたＡＳＩＣ等のハードウェアによって実現されてもよい。
【００２４】
特典管理プログラム６において、会員登録部６００は、ポイント会員の登録を受け付け、ポイント会員の会員情報をポイント会員ＤＢ３００の会員ＤＢに登録する。本例の会員登録部６００は、オペレータの入力操作によって、ポイント会員の住所、電話番号、性別、年齢及び誕生日等を受け付けると、ポイント会員を識別するためのポイント会員ＩＤを付与して、図４（Ａ）に例示するように、受け付けた住所等の会員情報をポイント会員ＩＤ及び登録日（入力日）に関連付けてポイント会員ＤＢ３００の会員ＤＢに登録し、ポイント会員ＩＤが書き込まれた会員カード９０２の発行をカード発行機（不図示）に指示する。
【００２５】
会員判定部６０５は、操作者がポイント会員であるか否かを判定し、判定結果を解答提示部６１０に出力する。本例の会員判定部６０５は、ポイント付与装置２０のカードリーダライタ２０２により読み取られたポイント会員ＩＤと、ポイント会員ＤＢ３００の会員ＤＢの情報とを照合することにより、ポイント会員を特定し、登録されたポイント会員である場合に、解答提示部６１０に対して解答の提示を行うよう指示し、登録されたポイント会員ではない場合に、解答提示部６１０に対して、ポイント会員への新規登録を促すメッセージを表示するよう指示する。 
【００２６】
解答提示部６１０は、正答及び誤答からなる選択肢群をポイント付与装置２０のタッチパネル２００に表示させる。本例の解答提示部６１０は、会員判定部６０５の指示に応じて、図４（Ｂ）に例示するキャンペーンＤＢを参照して、有効期間中のキャンペーン情報を選択し、選択されたキャンペーン情報に含まれる正答及び誤答を、タッチパネル２００上で選択可能な領域として表示させる。
解答受付部６１５は、解答提示部６１０により提示された選択肢に対するユーザ９（操作者）の選択操作を受け付け、選択された選択肢を解答照合部６２０に通知する。本例の解答受付部６１５は、タッチパネル２００に表示された選択肢群（正答及び誤答）に対する選択操作を検知し、選択された選択肢（正答又は誤答）を解答照合部６２０に通知する。
【００２７】
解答照合部６２０は、解答受付部６１５により受け付けた選択操作が正答に相当するか否かを判断し、判断結果を特典付与部６２５に通知する。本例の解答照合部６２０は、解答受付部６１５により受け付けた選択操作に対応する解答（選択肢）と、図４（Ｂ）に例示するキャンペーンＤＢの正答とを照合して、選択された解答が正答である場合には、この正答に対応付けて登録されている正答ポイント及び基礎ポイントを特典付与部６２５に出力し、選択された解答が誤答である場合には、正当に対応付けて登録されている基礎ポイントのみを特典付与部６２５に出力する。
【００２８】
特典付与部６２５は、解答照合部６２０から通知された判断結果（正答又は誤答）に応じたポイントを、ユーザ９（操作者）のポイント会員ＩＤに付与する。本例の特典付与部６２５は、解答照合部６２０から正答ポイント及び基礎ポイントあるいは基礎ポイントのみが入力されると、図４（Ｄ）に例示するログＤＢを参照して、このポイント会員ＩＤの来店ログを検査し、このキャンペーンに関して初来店である場合には、解答照合部６２０から入力されたポイントを、このポイント会員ＩＤのポイントに加算し、このキャンペーンに関してすでに来店履歴が存在する場合には、ポイントの加算を行わない。特典付与部６２５は、付与したポイントを、図４（Ｃ)に例示する特典ＤＢのポイントに加算する。
【００２９】
図５は、情報配信システム（情報配信プログラム５）の動作を説明するフローチャート（Ｓ１０）である。
図５に示すように、ステップ１００（Ｓ１００）において、情報配信プログラム５の広告登録部５２０（図２）は、広告主からキャンペーンの新規登録があるまで待機し（Ｓ１００：Ｎｏ）、キャンペーンの新規登録が要求されると、Ｓ１０５の処理に移行する。なお、広告登録部５２０は、設問や正答が含まれない広告情報の登録を順次受け付けており、受け付けた広告情報を広告情報ＤＢ１０２に順次登録していく。
【００３０】
ステップ１０５（Ｓ１０５）において、広告登録部５２０は、広告情報ＤＢ１０２の設問ＤＢ及び解答ＤＢから、登録されている設問及び解答を読み出し、設問及び解答の雛形として広告主に提示する。
【００３１】
ステップ１１０（Ｓ１１０）において、広告登録部５２０は、広告主が設問及び解答を任意入力する場合には、Ｓ１１５の処理に移行し、広告主が設問及び解答を雛形から選択する場合には、Ｓ１２０の処理に移行する。
ステップ１１５（Ｓ１１５）において、広告登録部５２０は、広告主から設問及び正答の入力を受け付けると、入力された正答の属性（分類）を分類１〜３まで順に選択させ、入力された設問と、正答及び属性とをそれぞれ設問ＤＢ及び解答ＤＢに新規登録する。さらに、広告登録部５２０は、キャンペーンの有効期間、正答ポイント及び基礎ポイントの入力を受け付け、これらの情報をキャンペーン情報とする。
【００３２】
ステップ１２０（Ｓ１２０）において、広告登録部５２０は、広告主から設問及び正答の選択操作を受け付けると、選択された設問及び正答並びにその属性（分類）を設問ＤＢ及び解答ＤＢから読み出し、さらに、キャンペーンの有効期間、正答ポイント及び基礎ポイントの入力を受け付け、これらの情報をキャンペーン情報とする。
【００３３】
ステップ１２５（Ｓ１２５）において、メール生成部５１０は、キャンペーン情報の一部（設問部分及び有効期間など）と、他の広告情報（広告情報ＤＢ１０２に登録されているもの）とをまとめてメール本文８０（図７（Ａ））を作成する。作成されるメール本文には、図７（Ａ)に例示するように、複数の広告情報（広告情報Ａ及びＢ）と共に、設問（クイズ）からなるキャンペーン情報８０４が含まれている。
ステップ１３０（Ｓ１３０）において、アドレス抽出部５０５は、メール会員ＤＢ１００からメールアドレスを抽出し、抽出されたメールアドレスをメール配信部５１５に出力する。
メール配信部５１５は、メール生成部５１０により生成されたメール本文８０を、アドレス抽出部５０５により抽出されたメールアドレス（すなわち、メール会員の端末のアドレス）に宛てて配信する。
【００３４】
ステップ１３５（Ｓ１３５）において、キャンペーン登録部５２５は、広告登録部５２０によりキャンペーン情報（設問、正答、有効期間、正答ポイント、及び基礎ポイント）が登録されると、このキャンペーン情報に含まれる正答と同じ属性を有する他の解答を、広告情報ＤＢ１０２の解答ＤＢから選択する。
ステップ１４０（Ｓ１４０）において、キャンペーン登録部５２５は、登録されたキャンペーン情報に、選択された他の解答（すなわち誤答）及びキャンペーン番号を付加して、特典管理システムの広告情報ＤＢ３０２（キャンペーンＤＢ）に登録する。
【００３５】
図６は、特典管理システム（特典管理プログラム６）の動作を説明するフローチャート（Ｓ２０）である。
図６に示すように、ステップ２００（Ｓ２００）において、ポイント付与装置２０のカードリーダライタ２０２（図１）は、会員カード９０２との通信に備えて待機し（Ｓ２００：Ｎｏ）、会員カード９０２がカードリーダライタ２０２の近傍にかざされると、この会員カード９０２から、ポイント会員ＩＤを読み取り、読み取られたポイント会員ＩＤをポイント管理サーバ３０の会員判定部６０５（図２）に送信する。
ステップ２０５（Ｓ２０５）において、会員判定部６０５は、ポイント会員ＤＢ３００の会員ＤＢを参照して、カードリーダライタ２０２から受信したポイント会員ＩＤが登録されているか否か（すなわち、登録されたポイント会員か否か）を判定する。
【００３６】
ステップ２１０（Ｓ２１０）において、会員判定部６０５は、ポイント会員ＩＤと共に、解答提示の指示を解答提示部６１０に出力する。
ステップ２１５（Ｓ２１５）において、解答提示部６１０は、キャンペーンＤＢを参照して、有効期間中のキャンペーン情報を読み出す。
【００３７】
ステップ２２０（Ｓ２２０）において、特典管理プログラム６は、ポイント付与装置２０のタッチパネル２００に、他の広告情報（例えば、ポイント会員の新規登録を促すメッセージなど）を表示させる。
【００３８】
ステップ２２５（Ｓ２２５）において、解答提示部６１０は、図７（Ｂ）に例示するように、キャンペーン情報に含まれる選択肢（正答及び解答（誤答））を、ポイント付与装置２０のタッチパネル２００に表示させる。本例では、図７（Ｂ）に例示するように、複数の誤答選択肢８２２と、正答選択肢８２０と、選択を促すメッセージとがタッチパネル２００上に表示されるのみであり、解答の基礎となる設問自体は表示されない。
ステップ２３０（Ｓ２３０）において、特典付与部６２５は、ログＤＢの来店ログを参照して、読み取られたポイント会員ＩＤがこのキャンペーンに関して初来店であるか否かを判断し、初来店である場合に、正答ポイント及び基礎ポイントの付与を許可し、初来店ではない場合に、これらのポイントの付与を禁止する。
特典管理プログラム６は、このキャンペーンに関して操作者が初来店である場合に、Ｓ２３５の処理に移行し、このキャンペーンに関して操作者が初来店ではない場合に、処理を終了する。
【００３９】
ステップ２３５（Ｓ２３５）において、解答受付部６１５は、ポイント付与装置２０のタッチパネル２００に表示された選択肢に対する選択操作を受け付ける。
ステップ２４０（Ｓ２４０）において、解答照合部６２０は、キャンペーンＤＢに登録されている正答と、解答受付部６１５により受け付けた選択操作に対応する解答とを比較して、ユーザ９００（操作者）が正解であったか否かを判断する。
特典管理プログラム６は、ユーザの操作が正解であった場合に、Ｓ２４５の処理に移行し、ユーザの操作が不正解であった場合に、Ｓ２４０の処理に移行する。
【００４０】
ステップ２４０（Ｓ２４０）において、特典付与部６２５は、解答照合部６２０により不正解であったと判断された場合に、このユーザのポイント会員ＩＤのポイントに、基礎ポイントのみを加算して、特典ＤＢを更新する。
ステップ２４５（Ｓ２４５）において、特典付与部６２５は、解答照合部６２０により正解であったと判断された場合に、このユーザのポイント会員ＩＤのポイントに、正答ポイント及び基礎ポイントを加算して、特典ＤＢを更新する。
【００４１】
ステップ２５０（Ｓ２５０）において、特典付与部６２５は、選択された解答の番号、付与したポイント、及び来店日を、このユーザのポイント会員ＩＤに関連付けてログＤＢ（図４（Ｄ）)に登録する。これにより、同一キャンペーンにおける同一ポイント会員に対するポイントの重複付与が防止される。また、ログＤＢに登録されるデータに基づいて、情報配信システムによって配信されるキャンペーン情報の広告効果を測定することができる。
【００４２】
以上説明したように、本実施形態の情報提供システム１によれば、情報配信サーバ１０が、キャンペーン情報と広告情報とが混在した電子メールを、ユーザ９（閲覧者）の携帯端末９００に配信し、ポイント付与装置２０が、キャンペーン情報（電子メールで発信された情報）に含まれている設問に対する、ユーザの解答を受け付けて、解答の正誤に応じたポイントをユーザに付与する。
これにより、ポイント付与装置２０により付与されるポイント（正答ポイント及び基礎ポイント）が、ポイント付与装置２０が設置されている商業区域まで来て広告情報を引き出させるためのインセンティブとして働くだけでなく、情報配信システムで配信される広告情報を閲覧させるためのインセンティブとしても働く。
また、設問を発信又は受信するシステムと、この設問に対する解答を入力するシステムとを異なる端末上で実現することにより、キャンペーンの存在自体だけでなく、正答として設定されたキーワードをユーザに記憶してもらうことができる。
また、情報配信システムと特典管理システムとの間で、個人情報でなりうる会員情報の交換又は関連付けを行うことなく、単に、キャンペーン情報の同期を行うだけで、情報配信システムによる広告（プッシュ型オンライン広告）と、特典管理システムによる広告（プル型固定端末広告）とを互いに連動させることができる。これはまた、メール会員又はポイント会員の会員増加機会を増やすことにもなる。
また、ポイント付与装置２０で受け付けた解答（例えば、正答数）によって、情報配信システムにより配信された広告情報の効果測定を行うことができる。
【符号の説明】
【００４３】
１    情報提供システム
１０  情報配信サーバ
２０  ポイント付与装置
３０  ポイント管理サーバ
５    情報配信プログラム
６    特典管理プログラム
【図１】
2011096151.tif 000003
【図２】
2011096151.tif 000004
【図３】
2011096151.tif 000005
【図４】
2011096151.tif 000006
【図５】
2011096151.tif 000007
【図６】
2011096151.tif 000008
【図７】
2011096151.tif 000009